【手続補正書】
【提出日】令和3年8月16日(2021.8.16)
【手続補正１】
【補正対象書類名】特許請求の範囲
【補正対象項目名】全文
【補正方法】変更
【補正の内容】
【特許請求の範囲】
【請求項１】
感染症伝播追跡システムであって、
監視エリア内のタグの位置を追跡するリアルタイムの位置特定システムＲＴＬＳと、
前記監視エリア内のタグの位置を受信するため前記ＲＴＬＳと動作可能に通信する少なくとも１つの電子プロセッサと、
非一時的な記憶媒体とを有し、前記非一時的記憶媒体が、
前記監視エリアのマップと、
ノードに関する情報を保存するノードデータベースであって、各ノードが、人、モバイルオブジェクト、又はマップゾーンであり、（ｉ）人、モバイルオブジェクト、又はマップゾーンとしての各ノードの識別と、（ｉｉ）人又はモバイルオブジェクトとして識別される各ノードに関連付けられるタグの識別と、（ｉｉｉ）マップゾーンとして識別される各ノードに関する前記マップ上の位置情報と、（ｉｖ）追跡される病原体に関する各ノードの感染尤度とを少なくとも含む前記ノードに関する情報を格納する、ノードデータベースと、
前記追跡される病原体に関する１つ又は複数の伝播モード及び前記追跡される病原体に関する少なくとも１つのノード滞留時間を含む少なくとも前記追跡される病原体に関する感染伝播情報を格納する病原体データベースと、
感染症伝播追跡方法を実行するために、前記少なくとも１つの電子プロセッサにより読み出し可能かつ実行可能な命令とを含み、前記方法が、
前記ＲＴＬＳから受信した前記感染ノードに関連付けられた前記タグの位置を使用して、少なくとも１つの感染ノードの前記マップにおける経路を計算するステップであって、感染ノードが、感染基準を満たす前記追跡される病原体ごとに非ゼロ感染尤度を持つ、ステップと、
前記病原体データベースに保存される前記感染伝播情報を使用して、前記経路に沿った前記マップにおける感染ゾーンを計算するステップと、
前記感染ゾーンに接触する各ノードについて、前記追跡される病原体に関する少なくとも前記感染伝播情報に基づき、前記ノードデータベースにおける接触ノードの感染尤度を調整し、前記接触ノードの更新された感染尤度が前記感染基準を満たす場合、前記接触ノードを感染ノードとして指定するステップと、
前記感染基準を満たす各ノードについて、各ノードをスクリーニングし、各ノードに関する次世代の遺伝子配列ＮＧＳリソースの割り当てを決定するステップであって、前記割り当ては、感染尤度が所定の閾値を超えた前記感染基準を満たすノードへのＮＧＳリソースの割り当てに基づいて決定されるステップとを有する、システム。
【請求項２】
前記少なくとも１つの電子プロセッサが、表示デバイスに、前記感染基準を満たす感染尤度を備えるノードのリストを表示するように更にプログラムされる、請求項１のシステム。
【請求項３】
前記少なくとも１つの電子プロセッサが、前記ノードのリスト内の各ノードについて、対応するノードがゼロの感染尤度を持つと決定される時間依存値を決定するように更にプログラムされる、請求項２に記載のシステム。
【請求項４】
前記少なくとも１つの電子プロセッサが、対応するノードがもはや感染していないというインジケーションを受信すると、前記時間依存値をゼロに設定するよう更にプログラムされる、請求項３に記載のシステム。
【請求項５】
前記ＲＴＬＳが、
（１）無線周波数識別ＲＦＩＤタグ及びＲＦＩＤタグリーダ、又は（２）赤外線ＩＲ受信機及び無線周波数ＲＦトランシーバーを含むタグと、
前記監視エリアにＩＲ信号を送信し、前記タグにより検出された一意のＩＤでＩＲ信号を出力するモニターと、
前記タグにより検出されたＩＲＩＤを読み取るように動作するＲＦ追跡通信局とのいずれかを含む、請求項１乃至４のいずれか一項に記載のシステム。
【請求項６】
前記ＲＴＬＳが、前記監視エリアに分散される衛生ステーションの使用状況の監視を含み、
前記マップは、前記ＲＴＬＳにより監視される前記衛生ステーションの場所を含み、
前記ノードデータベース内の前記接触ノードの感染尤度の調整が、前記感染ゾーンと接触する前記衛生ステーションの監視された使用に更に基づかれる、請求項２乃至５のいずれか一項に記載のシステム。
【請求項７】
前記ノードデータベースにおける前記接触ノードの感染尤度の調整が、前記感染ノードと前記接触ノードとの間の距離、前記感染ノードが前記追跡される病原体と接触してから経過した時間、前記感染したノードがモバイルオブジェクト又はマップゾーンである場合前記感染したノードの表面のタイプ、前記ノード付近の温度、前記ノード付近の湿度値、元の感染源と見なされる前記ノードからのノードの順序、最初に感染してから前記ノードが互いに遭遇した回数、衛生体制の実行の１つ又は複数に機能的に依存する、請求項１乃至６のいずれか一項に記載のシステム。
【請求項８】
前記ノードデータベースにおける前記接触ノードの感染尤度の調整が、ｐ＝ｆ（ｄ、ａ、ｔ、ｓ、Ｔ、Ｈ、ｏ、ｉ、ｈ）により決定され、
ｄは、２つのノード間の距離であり、ａは、前記２つのノード間の気流特性であり、ｔは、前記ノードの１つが関心病原体と最後に接触してから経過した時間であり、ｓは、前記ノードの表面のタイプであり、Ｔは、前記ノード付近の温度であり、Ｈは、前記ノード付近の湿度値であり、ｏは、元の感染源と見なされる前記ノードからのノードの順序であり、Ｉは、最初に感染してから前記ノードが互いに遭遇した回数であり、ｈは、衛生体制の実行である、請求項７に記載のシステム。
【請求項９】
各ノードをスクリーニングして、各ノードに関する次世代の遺伝子配列ＮＧＳリソースの割り当てを決定するステップが、
前記感染基準を満たす各ノードの感染尤度を更新するステップと、
前記更新された感染尤度に基づきＮＧＳリソースの割り当てを決定するステップとを含む、請求項１乃至８のいずれか一項に記載のシステム。
【請求項１０】
各ノードをスクリーニングして、各ノードに関する次世代の遺伝子配列ＮＧＳリソースの割り当てを決定するステップが、
前記経路と接触した各ノードに関する感染尤度を検出するステップと、
前記検出された感染尤度が所定の閾値を超えるとき、前記ノードが感染しているというアラームを生成するステップと、
前記アラームが生成された前記ノードに関するＮＧＳリソースの割り当てを決定するステップとを含む、請求項１乃至９のいずれか一項に記載のシステム。
【請求項１１】
非一時的なコンピュータ可読記憶媒体であって、
監視エリアのマップを保存するマップデータベースと、
ノードに関する情報を保存するノードデータベースであって、各ノードが、人、モバイルオブジェクト、又はマップゾーンであり、（ｉ）人、モバイルオブジェクト、又はマップゾーンとしての各ノードの識別と、（ｉｉ）人又はモバイルオブジェクトとして識別される各ノードに関連付けられるタグの識別と、（ｉｉｉ）マップゾーンとして識別される各ノードに関する前記マップ上の位置情報と、（ｉｖ）追跡される病原体に関する各ノードの感染尤度とを少なくとも含む前記ノードに関する情報を格納する、ノードデータベースと、
前記追跡される病原体に関する１つ又は複数の伝播モード及び前記追跡される病原体に関する少なくとも１つのノード滞留時間を含む少なくとも前記追跡される病原体に関する感染伝播情報を格納する病原体データベースと、
感染症伝播追跡方法を実行するために、少なくとも１つの電子プロセッサにより読み出し可能かつ実行可能な命令とを含み、前記方法が、
リアルタイム位置特定システムＲＴＬＳの１つ又は複数のタグリーダから、前記監視エリア内のＲＴＬＳの１つ又は複数のタグの位置を受信するステップと、
前記ＲＴＬＳから受信した前記感染ノードに関連付けられた前記タグの位置を使用して、少なくとも１つの感染ノードの前記マップにおける経路を計算するステップであって、感染ノードが、感染基準を満たす前記追跡される病原体ごとに非ゼロ感染尤度を持つ、ステップと、
前記病原体データベースに保存される前記感染伝播情報を使用して、前記経路に沿った前記マップにおける感染ゾーンを計算するステップと、
前記感染ゾーンに接触する各ノードについて、前記追跡される病原体に関する少なくとも前記感染伝播情報に基づき、前記ノードデータベースにおける接触ノードの感染尤度を調整し、前記接触ノードの更新された感染尤度が前記感染基準を満たす場合、前記接触ノードを感染ノードとして指定するステップと、
前記少なくとも１つの感染ノードが前記追跡される病原体に対して検査結果が陰性であるという情報を受信し、これに基づき前記少なくとも１つの感染ノードを未感染として再指定し、前記少なくとも１つの感染ノードの感染尤度と、前記追跡される病原体について検査結果が陰性である前記少なくとも１つの感染したノードの前記感染ゾーンとの接触のみにより非ゼロの感染尤度を持つ任意のノードの感染尤度とをゼロに設定するステップとを有する、
【請求項１２】
前記感染症伝播追跡方法が、前記少なくとも１つの電子プロセッサで、前記感染基準を満たす感染尤度を備えるノードのリストを表示するよう表示デバイスを制御するステップを更に含む、請求項１１に記載の非一時的なコンピュータ可読記憶媒体。
【請求項１３】
前記感染症伝播追跡方法が、前記ノードのリスト内の各ノードについて、対応するノードがゼロの感染尤度を持つと決定される時間依存値を決定するステップを更に含む、請求項１２に記載の非一時的なコンピュータ可読記憶媒体。
【請求項１４】
前記感染症伝播追跡方法が、対応するノードがもはや感染していないというインジケーションを受信すると、前記時間依存値をゼロに設定するステップを更に含む、請求項１３に記載の非一時的なコンピュータ可読記憶媒体。
【請求項１５】
前記ＲＴＬＳが、
（１）無線周波数識別ＲＦＩＤタグ及びＲＦＩＤタグリーダ、又は（２）赤外線ＩＲ受信機及び無線周波数ＲＦトランシーバーを含むタグと、
前記監視エリアにＩＲ信号を送信し、前記タグにより検出された一意のＩＤでＩＲ信号を出力するモニターと、
前記タグにより検出されたＩＲＩＤを読み取るように動作するＲＦ追跡ステーションとのいずれかを含む、請求項１１乃至１４のいずれか一項に記載の非一時的なコンピュータ可読記憶媒体。
【請求項１６】
前記感染症伝播追跡方法が、
前記少なくとも１つの感染ノードが前記追跡される病原体に対して検査結果が陽性であるという情報を受信し、前記感染したノードの感染尤度を最大値に設定し、前記追跡される病原体に対して検査結果が陽性である前記少なくとも１つの感染ノードの前記感染ゾーンに接触した前記ノードデータベースにおける接触ノードの感染尤度を上方調整するステップを更に有する、請求項１２乃至１５のいずれか一項に記載の非一時的なコンピュータ可読記憶媒体。
【請求項１７】
前記感染症伝播追跡方法が、前記感染ノードと前記接触ノードとの間の距離、前記感染ノードが前記追跡される病原体と接触してから経過した時間、前記感染したノードがモバイルオブジェクト又はマップゾーンである場合前記感染したノードの表面のタイプ、前記ノード付近の温度、前記ノードの近くの湿度値の少なくとも１つに基づき、前記ノードデータベースにおける前記接触ノードの感染尤度を調整するステップを更に含む、請求項１１乃至１６の任意の一項に記載の非一時的なコンピュータ可読記憶媒体。
【請求項１８】
前記感染症伝播追跡方法が、前記ノードデータベースにおける前記接触ノードの感染尤度を、式ｐ＝ｆ（ｄ、ａ、ｔ、ｓ、Ｔ、Ｈ、ｏ、ｉ、ｈ）に基づき調整するステップを更に含み、
ｄは、２つのノード間の距離であり、ａは、前記２つのノード間の気流特性であり、ｔは、前記ノードの１つが関心病原体と最後に接触してから経過した時間であり、ｓは、前記ノードの表面のタイプであり、Ｔは、前記ノード付近の温度であり、Ｈは、前記ノード付近の湿度値であり、ｏは、元の感染源と見なされる前記ノードからのノードの順序であり、Ｉは、最初に感染してから前記ノードが互いに遭遇した回数であり、ｈは、衛生体制の実行である、請求項１６又は１７に記載の非一時的なコンピュータ可読記憶媒体。
【請求項１９】
感染症伝播追跡システムであって、
タグ及びタグリーダを含むリアルタイム位置特定システムＲＴＬＳであって、前記タグリーダが、監視エリアに分散され、前記監視エリア内の前記タグの位置を追跡する、ＲＴＬＳと、
前記監視エリア内のタグの位置を受信するため前記ＲＴＬＳと動作可能に通信する少なくとも１つの電子プロセッサと、
非一時的な記憶媒体とを有し、前記非一時的記憶媒体が、
前記監視エリアのマップと、
ノードに関する情報を保存するノードデータベースであって、各ノードが、人、モバイルオブジェクト、又はマップゾーンであり、（ｉ）人、モバイルオブジェクト、又はマップゾーンとしての各ノードの識別と、（ｉｉ）人又はモバイルオブジェクトとして識別される各ノードに関連付けられるタグの識別と、（ｉｉｉ）マップゾーンとして識別される各ノードに関する前記マップ上の位置情報と、（ｉｖ）追跡される病原体に関する各ノードの感染尤度とを少なくとも含む前記ノードに関する情報を格納する、ノードデータベースと、
前記追跡される病原体に関する１つ又は複数の伝播モード及び前記追跡される病原体に関する少なくとも１つのノード滞留時間を含む少なくとも前記追跡される病原体に関する感染伝播情報を格納する病原体データベースと、
感染症伝播追跡方法を実行するために、前記少なくとも１つの電子プロセッサにより読み出し可能かつ実行可能な命令とを含み、前記方法が、
前記ＲＴＬＳから受信した前記感染ノードに関連付けられた前記タグの位置を使用して、少なくとも１つの感染ノードの前記マップにおける経路を計算するステップであって、感染ノードが、感染基準を満たす前記追跡される病原体ごとに非ゼロ感染尤度を持つ、ステップと、
前記病原体データベースに保存される前記感染伝播情報を使用して、前記経路に沿った前記マップにおける感染ゾーンを計算するステップと、
感染ゾーンに接触する各ノードについて、前記追跡される病原体に関する少なくとも感染伝播情報に基づき、前記ノードデータベースにおける接触ノードの感染尤度を調整し、前記接触ノードの更新された感染尤度が前記感染基準を満たす場合、前記接触ノードを感染ノードとして指定するステップと、
前記追跡される病原体を特定する更新された情報を受信し、前記追跡される病原体に関する前記感染伝播情報が変更される、ステップと、
前記修正された感染伝播情報を使用して、前記経路に沿った前記マップにおける前記感染ゾーンを再計算し、前記修正された感染伝播情報に基づき、前記接触ノードの感染尤度を更に調整するステップとを含む、システム。
【請求項２０】
前記追跡される病原体を特定するステップが、前記追跡される病原体株を識別する次世代シーケンシングＮＧＳデータを受信するステップを含む、請求項１９に記載の感染症伝播追跡システム。